(57)【要約】【課題】光ファイバーケーブルにおいて、ドロップ線を分岐させるなどの増設工事や、導通試験作業、補修作業などのメンテナンス作業を容易に行うことにより、メンテナンス作業の安全性及び作業効率を向上させる。【解決手段】  ファイバーケーブル敷設構造１０は、ファイバーケーブル５を敷設するためのものであり、構造物である電柱１に固定された一対の緊結手段２，２と、一対の緊結手段２，２のそれぞれに緊結されて張設された一対の支持線３１，３１と、これら一対の支持線３１，３１にファイバーケーブルを連結するダム部４と、緊結手段２，２間におけるファイバーケーブル５の余長部分５１を巻き回した状態で、一対の支持線３１，３１に固定する多数の固定部６とからなる。【選択図】  図１
2005202246.tif 000002
【特許請求の範囲】
【請求項１】
ファイバーケーブルを敷設する構造であって、
構造物に固定された一対の緊結手段と、
前記一対の緊結手段のそれぞれに緊結されて張設された一対の支持線と、
前記一対の支持線に前記ファイバーケーブルを連結するダム部と、
前記緊結手段間における前記ファイバーケーブルの余長部分を巻き回した状態で、前記構造物に固定する固定部と
からなることを特徴とするファイバーケーブルの敷設構造。
【請求項２】
前記ファイバーケーブルは、前記ダム部により一本の支持線に連結され、
前記一対の支持線は、前記一本の支持線の中途部分を切除してなり、
前記余長部分は、前記ファイバーケーブルのうち、削除された前記中途部分に連結されていた部分である
ことを特徴とする請求項１に記載のファイバーケーブルの敷設構造。
【請求項３】
前記ダム部は、スリットを挟んで所定間隔に配設されていることを特徴とする請求項１に記載のファイバーケーブルの敷設構造。
【請求項４】
前記固定部は、前記余長部分を巻き回した状態で収納し、前記一対の支持線に固定されるケース体であることを特徴とする請求項１に記載のファイバーケーブルの敷設構造。
【請求項５】
ファイバーケーブルを敷設する方法であって、
構造物に一対の支持線を緊結して張設し、該一対の支持線により、前記ファイバーケーブルを支持させる工程と、
緊結された一対の支持線間における、前記ファイバーケーブルの余長部分を巻き回した状態で前記構造物に固定する工程と
を備えることを特徴とするファイバーケーブルの敷設方法。
【請求項６】
前記ファイバーケーブルは、ダム部により一本の支持線に連結され、
前記一対の支持線は、前記一本の支持線の中途部分を切除してなり、
前記余長部分は、前記ファイバーケーブルのうち、削除された前記中途部分に連結されていた部分である
ことを特徴とする請求項５に記載のファイバーケーブルの敷設方法。
【請求項７】
前記ダム部は、スリットを挟んで所定間隔に配設されていることを特徴とする請求項６に記載のファイバーケーブルの敷設方法。
【請求項８】
敷設されたファイバーケーブルのメンテナンス方法であって、
構造物に緊結されて張設された一対の支持線に前記ファイバーケーブルの余長部分を巻き回した状態で固定し、該ファイバーケーブルを前記一対の支持線に支持させる工程と、
前記余長部分の固定を解除し、該余長部分を垂下させる工程と、
垂下された前記余長部分の下端においてメンテナンス処理を施す
ことを特徴とするファイバーケーブルのメンテナンス方法。
【請求項９】
前記ファイバーケーブルは、ダム部により一本の支持線に連結され、
前記一対の支持線は、前記一本の支持線の中途部分を切除してなり、
前記余長部分は、前記ファイバーケーブルのうち、削除された前記中途部分に連結されていた部分である
ことを特徴とする請求項８に記載のファイバーケーブルのメンテナンス方法。
【請求項１０】
前記ダム部は、スリットを挟んで所定間隔に多数配設されていることを特徴とする請求項９に記載のファイバーケーブルのメンテナンス方法。
【発明の詳細な説明】
【技術分野】
【０００１】
本発明は、電柱や建物の壁面等の構造物に支持されて敷設される光ファイバーケーブルの敷設構造、敷設方法及びメンテナンス方法に関する。
【背景技術】
【０００２】
従来より、光ファイバーケーブル等は、電柱や建物の壁面に支持されて敷設されている。この敷設のための技術として、例えば特許文献１に開示された自己支持型光ケーブルがある。
【０００３】
この特許文献１に開示された自己支持型光ケーブルは、光ファイバーの周囲にポリエチレン等の樹脂材料からなるシースで被覆したファイバーケーブルを、鋼線やより線等の支持線に平行に配置するとともに、ダム部で連結して形成されており、支持線を建造物間に張設することにより、ファイバーケーブルを敷設する。
【特許文献１】特開平１０−９０５７０号公報
【発明の開示】
【発明が解決しようとする課題】
【０００４】
しかしながら、上述した従来のファイバーケーブルの敷設方法では、敷設されたファイバーケーブルは、電柱の頂部など、高所に敷設されるものであるため、例えば、既にファイバーケーブルから、新規加入者のためにドロップ線を分岐させるなどの増設工事や、導通試験作業、補修作業などのメンテナンス作業も高所で行わなければならないという問題があった。
【０００５】
従来では、高所での作業は、高所に届くゴンドラを備えたバケット車を使用するが、密集した住宅地などではバケット車が進入できない場合もあり、この場合には、ハシゴなどを用いる必要があった。ハシゴ上での作業は、不安定であることから、作業が長時間にわたる場合には、危険が伴ううえ、作業性が低下し工事の遅延の原因ともなっていた。
【０００６】
そこで、本発明は以上の点に鑑みてなされたもので、光ファイバーケーブルにおいて、ドロップ線を分岐させるなどの増設工事や、導通試験作業、補修作業などのメンテナンス作業を容易に行うことにより、メンテナンス作業の安全性及び作業効率を向上させることのできるファイバーケーブルの敷設構造、敷設方法及びメンテナンス方法を提供することをその課題とする。
【課題を解決するための手段】
【０００７】
上記課題を解決するために、本発明は、ファイバーケーブルを敷設する構造であって、構造物に固定された一対の緊結手段と、一対の緊結手段のそれぞれに緊結されて張設された一対の支持線と、一対の支持線にファイバーケーブルを連結するダム部と、緊結手段間におけるファイバーケーブルの余長部分を巻き回した状態で、構造物に固定する固定部とからなることを特徴とする。
【０００８】
第２の発明は、ファイバーケーブルを敷設する方法であって、構造物に一対の支持線を緊結して張設し、一対の支持線により、ファイバーケーブルを支持させる工程と、緊結された一対の支持線間における、ファイバーケーブルの余長部分を巻き回した状態で構造物に固定する工程とを備えることを特徴とする。
【０００９】
第３の発明は、敷設されたファイバーケーブルのメンテナンス方法であって、構造物に緊結されて張設された一対の支持線にファイバーケーブルの余長部分を巻き回した状態で固定し、ファイバーケーブルを一対の支持線に支持させる工程と、余長部分の固定を解除し、余長部分を垂下させる工程と、垂下された余長部分の下端においてメンテナンス処理を施す。
【００１０】
このような本発明によれば、ファイバーケーブルを構造物に緊結して張設する際、この緊結箇所において、ファイバーケーブルに余長を確保し、この余長部分を巻き回した状態で固定しておくことによって、かかる固定を解除することにより、余長部分を地上近くに垂下させることができる。この結果、ドロップ線を分岐させるなどの増設工事や、導通試験作業、補修作業などのメンテナンス作業を、地上で行うことができる。
【００１１】
上記発明において、ファイバーケーブルは、ダム部により一本の支持線に連結され、一対の支持線は、一本の支持線の中途部分を切除してなり、余長部分は、ファイバーケーブルのうち、削除された中途部分に連結されていた部分であることが好ましい。この場合には、予めファイバーケーブルと支持線をダム部により一体構造とするため、ファイバーケーブルの運搬や敷設作業を容易なものとすることができるとともに、構造物の緊結に際し、支持線の中途部分を切除することによって、任意の位置及び長さの余長部分をファイバーケーブルに形成することができる。この結果、構造物の高さや構造物間の距離に応じて余長部分の形成態様を調整することができ、現場の状況に応じた作業を行うことができる。
【００１２】
上記発明において、ダム部は、スリットを挟んで所定間隔に多数配設されていることが好ましい。この場合には、スリットを形成することにより、支持線に作用する横風による影響や、ケーブルの重量を低減することができるとともに、ダム部の切断長を短縮することができ、支持線からファイバーケーブルを分離する際の作業性を高めることができる。
【００１３】
前記余長部分の固定は、余長部分を巻き回した状態で収納し、一対の支持線に固定されるケース体とすることができる。この場合には、ケース体によりファイバーケーブルを保護することができるとともに、余長部分の固定やその解除のための作業を容易なものとすることができる。
【発明の効果】
【００１４】
以上説明したように本発明によれば、光ファイバーケーブルのメンテナンス作業を地上で行うことができるようになり、メンテナンス作業を容易に行うことができ、メンテナンス作業の安全性及び作業効率を向上させることができる。
【発明を実施するための最良の形態】
【００１５】
（ファイバーケーブル敷設構造の構成）
本発明の実施形態について図面を参照しながら説明する。図１は、本実施形態に係るファイバーケーブル敷設構造を示す概略構成図であり、（ａ）はその側面図、（ｂ）はその上面図であり、（ｃ）はファイバーケーブルと支持線を一体化したシースの断面図である。
【００１６】
同図（ａ）及び（ｂ）に示すように、本実施形態に係るファイバーケーブル敷設構造１０は、ファイバーケーブル５を敷設するためのものであり、構造物である電柱１に固定された一対の緊結手段２，２と、一対の緊結手段２，２のそれぞれに緊結されて張設された一対の支持線３１，３１と、これら一対の支持線３１，３１にファイバーケーブルを連結するダム部４と、緊結手段２，２間におけるファイバーケーブル５の余長部分５１を巻き回した状態で、一対の支持線３１，３１に固定する多数の固定部６とからなる。
【００１７】
本実施形態においてファイバーケーブル５は、ポリエステル等の樹脂材料により、支持線及びダム部４とともに被覆されて一体成型されている。また、ダム部４は、スリット４１を挟んで所定間隔に配設されている。
【００１８】
本実施形態において一対の支持線３１，３１は、一本の支持線３の中途部分を切除することにより形成されるとともに、余長部分５１は、ファイバーケーブル５のうち、削除された中途部分に連結されていた部分である。これについては、後述する。
【００１９】
緊結手段２，２は、本実施形態では、電柱１の外周面に合致するように湾曲され、電柱１を把持するための一対のクランプ部２１，２１と、これらクランプ部２１，２１の両端においてこれらクランプ部２１，２１を連結固定するボルトナット２２と、ボルトナット２２により軸支されたプーリー２３と、プーリー２３に掛け回された緊結線２４，２４とにより、電柱１に固定されている。緊結手段２は、その内部に逆止構造を備えており、支持線３１が差し込まれると、支持線３１の軸方向に作用する張力に対する反力を利用して支持線３１を把持し、抜けないようになっている。
【００２０】
固定部６は、例えばワイヤーなどの緊結線を巻き回して用いることができるが、強力な把持力を備えたクリップなどとしてもよい。
【００２１】
（ファイバーケーブルの敷設方法）
次いで、以上の構成を有するファイバーケーブル敷設構造を用いた、ファイバーケーブルの敷設方法の手順について説明する。図２は、本実施形態に係るファイバーケーブルの敷設方法の手順を示す説明図である。
【００２２】
ここで、本実施形態におけるファイバーケーブル５は、上述したように、スリット４１を挟んで所定間隔で配設された多数のダム部４により一本の支持線３に連結され、シース７で一体化されたものを用いる。
【００２３】
そして、先ず、図２（ａ）に示すように、一本の支持線３の中途部分３２に配設されていたダム部４２を４２ａで切断するとともに、支持線３の３ａ部分を切断することによって中途部分３２を切除する。この切断部分３ａによって分断されることにより、同図（ｂ）に示すように、一対の支持線３１，３１が形成され、これら一対の支持線３１，３１の端部３１ａ，３１ａを引き寄せて近接させることによって、ファイバーケーブル５のうち、中途部分３２に連結されていた部分が余長部分５１となる。
【００２４】
次いで、同図（ｃ）に示すように、電柱１に固定された緊結手段２，２に、一対の支持線３１，３１のそれぞれの端部３１ａ，３１ａを緊結し、支持線３１，３１を張設する。これによって、一対の支持線３１，３１により、ファイバーケーブル５が支持されることとなる。また、端部３１ａ，３１ａが相互に引き寄せられることによってできたファイバーケーブル５の余長部分５１を、巻き回した状態で、固定部６により一対の支持線３１，３１に固定する。なお、図示した例では、余長部分５１を一巻きした状態としているが、内部のファイバーが破損しない程度の曲げ応力の範囲であれば、複数回巻き回してもよい。
【００２５】
（ファイバーケーブルのメンテナンス方法）
以上説明したファイバーケーブルの敷設構造及び敷設方法によって敷設されたファイバーケーブルのメンテナンス方法について説明する。図３乃至図６は、本実施形態に係るファイバーケーブルのメンテナンス方法の手順を示す説明図である。
【００２６】
先ず、上述した敷設方法により、敷設構造が形成されている。すなわち、電柱１に緊結されて張設された一対の支持線３１，３１に、ファイバーケーブル５の余長部分５１が、巻き回された状態で固定され、ファイバーケーブル５が一対の支持線３１，３１に支持されている。
【００２７】
そして、図３に示すように、例えばハシゴ９等により一時的に電柱１の頂部に上り、固定部６を解除する。これによって、図４に示すように、余長部分５１が、地上付近まで垂下された状態となり、この後のメンテナンス処理は、垂下された余長部分５１の下端、すなわち地上において行うことができる。
【００２８】
このメンテナンス処理としては、例えば図５に示すように、新規加入者宅１２にドロップ線１３をファイバーケーブル５から分岐させる場合の、クロージャー１１の増設作業が挙げられる。この場合、垂下させた余長部分５１にクロージャー１１を接続し、このクロージャー１１からドロップ線１３を導出させ、支持線３１に支持させつつ、新規加入者宅１２の近隣まで敷設し、分岐金物１３ａを介して、新規加入者宅１２に融着する。なお、新規加入者宅１２における敷設箇所が、例えば壁面の高所となる場合には、本発明の敷設方法により敷設構造を構築し、余長を確保しておき、融着作業等を地上にて行えるようにする。
【００２９】
そして、ファイバーケーブル５のメンテナンス作業が終了した後には、図６に示すように、再び本発明の敷設構造を構築する。この際、クロージャー１１は、支持線３１まで揚重し、支持線３１に固定し支持させる。
【００３０】
（本実施形態による効果）
以上説明した本実施形態に係るファイバーケーブルの敷設構造、敷設方法及びメンテナンス方法によれば、ファイバーケーブル５を電柱１に緊結して張設する際、この緊結箇所において、ファイバーケーブル５に余長部分５１を確保し、この余長部分５１を巻き回した状態で支持線３１に固定しておくことによって、かかる固定を解除することにより、余長部分５１を地上近くに垂下させることができる。この結果、ドロップ線を分岐させるなどの増設工事などのメンテナンス作業を、地上で行うことができ、メンテナンス作業の安全性及び作業効率を向上させることができる。さらに、本実施形態では、新規加入者宅１２においても、本発明のファイバーケーブルの敷設構造を構築しておくため、新規加入者宅１２におけるメンテナンス作業の安全性や作業効率を向上させることができる。
【００３１】
（変更例）
上述した実施形態では、余長部分５１の固定を、多数の固定部６により行ったが、本発明はこれに限定されるものではなく、例えば、図７に示すような収納ケース６１を用いることができる。
【００３２】
本変更例に係る収納ケース６１は、余長部分５１が挿通可能となっており、内部に一対のリール６１ａ，６１ａを備え、内部に挿通された余長部分５１を、リール６１ａ，６１ａに巻き回した状態で収納し、電柱１やクランプ部２１、一対の支持線３１に固定される。この収納ケース６１には、収納ケースにより余長部分５１を保護することができるとともに、余長部分５１の固定やその解除のための作業を容易なものとすることができる。
【図面の簡単な説明】
【００３３】
【図１】実施形態に係るファイバーケーブル敷設構造を示す概略構成図であり、（ａ）はその側面図、（ｂ）はその上面図であり、（ｃ）はファイバーケーブルと支持線を一体化したシースの断面図である。
【図２】実施形態に係るファイバーケーブルの敷設方法の手順を示す説明図である。
【図３】実施形態に係るファイバーケーブルのメンテナンス方法の手順を示す説明図であり、既に敷設構造が構築されている状態を示している。
【図４】実施形態に係るファイバーケーブルのメンテナンス方法の手順を示す説明図であり、余長部分を垂下させた状態を示している。
【図５】実施形態に係るファイバーケーブルのメンテナンス方法の手順を示す説明図であり、垂下させた余長部分にクロージャーを接続した状態を示している。
【図６】実施形態に係るファイバーケーブルのメンテナンス方法の手順を示す説明図であり、余長部分にクロージャーを接続した後、再び敷設構造を構築した状態を示している。
【図７】変更例に係るファイバーケーブル敷設構造を示す概略構成図である。
【符号の説明】
【００３４】
１…電柱
２…緊結手段
３…支持線
３ａ…切断部分
４…ダム部
５…ファイバーケーブル
６…固定部
７…シース
９…ハシゴ
１０…ファイバーケーブル敷設構造
１１…クロージャー
１２…新規加入者宅
１３…ドロップ線
１３ａ…分岐金物
２１…クランプ部
２２…ボルトナット
２３…プーリー
２４…緊結線
３１…支持線
３１ａ…支持線端部
３２…中途部分
４１…スリット
４２…ダム部
５１…余長部分
６１…収納ケース
６１ａ…リール
【図１】
2005202246.tif 000003
【図２】
2005202246.tif 000004
【図３】
2005202246.tif 000005
【図４】
2005202246.tif 000006
【図５】
2005202246.tif 000007
【図６】
2005202246.tif 000008
【図７】
2005202246.tif 000009